(57)【要約】      （修正有）【課題】粘着面積を調整する非粘着素材単片を片面テープ粘着部に連続して圧着する機能を持つテープカッター。【解決手段】テープ切断装置組立筐体にテープ供給回転軸３０Ｅが係止めされ、非粘着素材の供給機能と切断刃３１Ａを持つテープ切断装置３０Ｂが固定金具３０Ｄにより前塔部３０ＡＨに固定されスプリングの露出をスプリングカバー３Ｃで保護した。テープ切断動作に於いて切断完了時に片面粘着テープ１Ｃと非粘着素材単片１Ｂが水平位置を保持し上部からの切断圧力とテープ切断装置３０Ｂに内蔵されたレバー付昇降台３３のスプリングによる下部からの弾性力で非粘着素材単片１Ｂの積層体を押上げ、片面粘着テープ１Ｃに非粘着素材単片１Ｂを確実に圧着し剥離容易な片面粘着テープと付属カートリッジの機能を使い繊維片を非粘着素材として使用し先端粘着部残存非粘着素材残存テープ１を作成できる。【選択図】図４
0003212666.tif 000002
【実用新案登録請求の範囲】
【請求項１】
上板３０ＡＢと地板３０ＡＣで結合した一対の側板３０Ａで構成されたテープ切断組込筐体３２の後塔部３０ＡＦにテープ供給回転軸中心（４０Ａ）がテープ切断装置３０Ｂのテープ粘着接点（４０Ｂ）に対し梃子による切断可能な仰角（４０Ｄ）を保持した位置にロール状片面テープを取付けたテープ供給回転軸３０Ｅを係止し、外板（３１）内側にスペーサー厚（３４Ｄ）で先端残存粘着部（１Ａ）を形成するレール付スペーサー（３４）と、上昇弾性を持つスプリング３５によって支持されたレバー付昇降台（３３）が内蔵されたテープ切断装置（３０Ｂ）を前塔部（３０ＡＨ）の固定羽掛溝（３０ＡＥ）にテープ切断装置固定羽３１Ｄを係止し、固定金具３０Ｄで地板３０ＡＣに固定し、非粘着素材装填開口部（３１Ｅ）から装填した積層体（１ＢＡ）をレバー付昇降台（３３）が押上げ、積層された上部の非粘着素材単片（１Ｂ）がストッパー（３１Ｂ）で停止する、引出された片面粘着テープ（１Ｃ）は切断の為にテープ圧着接点（４０Ｂ）を梃子として切断刃（３１）に接するが、テープ粘着接点（４０Ｂ）から切断刃（３０え）の仰角（４０Ｅ）は仰角（４０Ｄ）より小さい、よって片面粘着テープ（１Ｃ）と非粘着素材単片（１Ｂ）は切断動作完了時に上部圧力と下部からの弾性圧力により確実に圧着し、任意の長さに引出された片面粘着テープ（１Ｃ）は開封一回目の切断を除き連続して先端粘着部残存非粘着素材残存テープ（１）を作る構成を特徴としたテープカッター
【請求項２】
テープ切断装置（３０Ｂ）は外板（３１）、スプリング（３５）、レール付スペーサー（３４）、レバー付昇降台（３３）、補助具としてカートリッジ（５）を具備し、組立に於いて外板（３１）にレール付スペーサー（３４）の外板掛爪（３４Ｂ）嵌め込みとスプリング３５によるレバー付昇降台（３３）の吊り込みで簡単に組立てられ、金属、樹脂、木材の素材選択でハイブリッドな設計の自由度と量産に適した部品構成の特徴を持つテープカッター
【請求項３】
テープカッター組立構成はテープ切断装置（３０Ｂ）のテープ切断装置組込筐体（３２）への組込がテープ切断装置組込筐体（３２）の固定羽掛溝（３０ＡＥ）にテープ切断装置固定羽（３１Ｄ）を係止めしテープ切断装置（３０Ｂ）を固定金具（３０Ｄ）によりテープ切断装置組込筐体（３２）の地板（３０ＡＣ）に固定しスプリング（３５）の露出をスプリングカバー（３０Ｃ）で保護し、完成品の容易な組込部材構成を特徴としたテープカッター
【請求項４】
外側に鍔５Ｃを持つカートリッジ（５）により先端部粘着部残存非粘着素材単片圧着済粘テープ（１）と同様の［請求項１］による作成要領で片面粘着テープ（１Ｃ）の幅より狭い非粘着素材単片（１Ｂ）の圧着を行い片面粘着テープ（１Ｃ）に先端３方向残存粘着部（２Ａ）を鍔（５Ｃ）の幅空間で作成し、連続して先端部３方向粘着部残存非粘着素材単片圧着済粘着テープ（２）を作成する特徴を持つテープカッター
【考案の詳細な説明】
【技術分野】
【０００１】  片面に粘着材が塗布されたロール状の粘着テープを連続して片側切断先端部に非粘着素材単片を装着し、指先で容易に剥離可能な片面粘着テープを作成するテープカッターに関するものである。
【背景技術】
【０００２】  片面粘着テープを接着した場合に片方向からの剥離を容易にするため、既存テープカッターの先端部外側に粘着テープ片側先端部に紙片を圧着する機能を備える、紙片供給筐体を取り付け、指等の補助力により粘着テープに貼付けて剥離容易な粘着テープを切断する方法と、テープカッター前方塔部に具備された紙片供給装置から紙片を供給し指等の助力で貼付け、剥離容易な片面粘着テープを切断する方法が有った。
【先行技術文献】
【特許文献】
【０００３】
【特許文献１】特開２０００−１５９４２７  公報
【特許文献２】特開平１０−０３５９８９  公報
【特許文献３】特開２００９−０９６６３５  公報
【特許文献４】特開平１０−０２９７５８  公報
【非特許文献】
【非特許文献】実登３０９４１０８  公報
【０００４】
【非特許文献１】
【考案の概要】
【考案が解決しようとする課題】
【０００５】  本考案は前出のテープカッターによって作られた先端部非粘着素材圧着済粘着テープの被接着体の平面と局面への接着に於いて、接着時に先端部の起き上がりが不可避であり平滑に欠け、剥離容易な利便性が被接着体の形状を先端部の起き上がりで非粘着部が邪魔な突起となった。
この片面粘着テープを作るテープカッターによる切断時非粘着素材圧着において下部からの弾性圧力だけで上部から指等の圧着を必要とし、テープ切断動作時の非粘着素材への進入角度の指示がなく接着不良の原因となり連続した目的のテープ作成が困難である。
使用片面粘着テープ及び非粘着素材単片の多様性に対応しての圧着が不完全であり利便性を妨げる前述の欠点をも解決するものである。
前記の目的を達成する前述のテープカッターは構造体の製品化と量産化が課題である。
【課題を解決するための手段】
【０００６】  本考案はこのような従来の構成の有していた問題を解決しようとするものであり、片面粘着テープの切断先端部に粘着部分を残存させ非粘着素材単片を粘着テープの片側先端部に圧着した非粘着素材圧着済粘着テープを作成する装置であり、ポスター等掲示物の平面、立体の包装等の接着時に先端部の起き上がりを防止し、指先等による剥離容易な粘着テープを作成する装置であり、カートリッジによる非粘着素材の供給によりスペーサーとカートリッジの併用に於いて非粘着素材面積によるテープ粘着部面積の大小を調整する機能を有し、非粘着素材平面の４方向必要に応じて粘着面積が調節出来る。
テープカッター本体の片面粘着テープ保持部から引き出された片面粘着テープがテープ回転軸中心の水平面に対し仰角の角度を保ち非粘着素材単片のテープ圧着接点に達し、切断動作に於いて上部から非粘着素材単片への確実な圧力となる、一連の切断動作の中で非粘着素材単片のテープ圧着接点に達した片面粘着テープは次に固定金具によりテープカッター前塔部に固定されたテープ切断装置の切断刃において切断が完了するが、その際、テープ圧着接点と切断刃先端へのテープ進入角度はテープ回転軸中心からテープ圧着接点への進入仰角より小さい仰角でなければならない、この仰角によりテープ切断動作の圧力に於いて非粘着素材表面に水平圧力を加へ下部からのスプリングの弾性に支持されたレバー付昇降台の圧力で確実に片面粘着テープと非粘着素材は圧着する。
切断刃と非粘着素材単片との間にレール付スペーサーで形成された空間が片面粘着テープ先端部に粘着部を残存し、切断刃への上部からの圧力において目的の非粘着素材圧着済みの片面粘着テープが完成する。
テープ切断装置に装填される非粘着素材は紙片、金属箔片、樹脂片、繊維片を定義し、個々の特性により単片のみの装填或いは積層体としての装填を可能にし、積層体は積層方向への一辺に飛散防止と単片単位の片面粘着テープへの積層体から剥離圧着する為に面状又は糸状に糊で接着処理される、積層接着処理の不可能な非粘着素材単片についてはテープ切断装置に付属されたカートリッジで非粘着素材単片を積層しテープ切断装置に装填することが出来る。
【考案の効果】
【０００７】  上述の様に本考案のテープカッターは片面粘着テープ接着時に片側先端部に剥離容易な粘着部を残し非粘着素材を圧着させたテープの作成と、圧着した非粘着素材の平面３方向に粘着部を残存し片面粘着テープ片側先端の剥離強度調整が出来るテープを付属のカートリッジで作成が出来る。
片面テープ片側先端部に圧着させた非粘着素材単片と切断刃の間にレール付スペーサーの空間でテープ粘着部を残存させ、掲示物等の平面、立体物の梱包曲面へのテープ接着時に端部起上りを防止し剥離用の突起物が無く平滑に処理でき被接着物の形態に変化を与えず剥離容易な接着が出来る。
しかも非粘着素材単片の４方向に粘着部を残存させることにより医療用のガーゼ・カット綿等の非粘着素材単片を主体とした用途に適応出来る片面粘着テープが作成できる。
上記の機能を持つ本考案のテープカッターは構造が簡単であり構造材に於いて金属・非鉄金属・樹脂・木材等構造材の選択、片面粘着テープの幅、非粘着素材の形状にも対応した設計自由度が有り、量産化及びコストパフォーマンスにも有効である。
【図面の簡単な説明】
【０００８】
【図１】本考案のテープカッター組立完成図と非粘着素材圧着済テープ完成図。
【図２】テープ切断装置部品図。
【図３】固定金具、スプリングカバー、テープ切断装置、テープ切断装置組込筐体図。
【図４】テープカッター断面図。
【図５】積層非粘着素材及びカートリッジ図とテープ切断筐体へのセット図。
【考案を実施するための形態】
【０００９】  本考案のテープカッターはテープ切断装置組込筐体にテープ切断装置とテープ供給回転軸からなりテープ供給回転軸中心はテープ切断装置のテープ圧着接点に対しテープ進入仰角を保持した位置に係止される、テープ切断装置の切断刃先端はテープ圧着接点からテープ進入仰角の位置を保持するが切断に必要な切断刃の高さへのテープ進入仰角はテープ保持回転軸からテープ圧着接点へのテープ進入仰角より小さくテープ切断装置組込筐体へのテープ切断装置とテ−プ保持回転軸の組込位置関係が制約された構造において切断時に片面粘着テープと非粘着素材単片が平行となり圧着を確実にし、レール付スペーサーの厚み空間において片面テープ先端部に残存粘着部を作成する。
テープ切断装置のテープ切断装置外板は切断刃、スプリング掛け爪、スプリングカバー掛け爪、昇降台スライド溝、スペーサー取付穴、テープ切断装置固定羽等も含め鋼板を素材とするプレス一体成型を基本とし形成される。
テープ切断装置外板内側に係止めされるレバー付昇降台は昇降台部分を鋼板のプレス一体成型としレバー部分は溶着される。
レール付スペーサーは樹脂を素材としたスペーサー成型後にレールが溶着されテープ切断装置外板内包に取り付けられる。
レバー付昇降台はテープ切断装置外板外側スプリング留金具に掛けたスプリングをレバー付昇降台のスプリング留穴に掛け、テープ切断装置外板内包に嵌め込まれたレール付スペーサーに差込みテープ切断装置は完成する。
完成されたテープ切断装置のテープ切断装置固定羽をテープ切断装置組込筐体の前塔部固定羽掛溝に掛けテープ切断装置下部取付穴とテープ切断装置受穴に固定金具を挟み込みテープ切断装置組込筐体へ固定しテープカッターは完成する。
付属部品としてカートリッジがありカートリッジ外板の鍔寸法によりカ―トリッジ内の幅を可変にし、非粘着素材平面積の変更を可能にし、レール付スペーサーの寸法制約範囲内空間と鍔寸法の範囲内で片面粘着テープ側面に３方向粘着部を残存させる。
テープ切断装置及びテープ切断装置組込み筐体の素材選定は鋼板と樹脂だけではなく設計上で非鉄金属、木材の使用も出来る構造である。
手動によるテープ保持回転軸から片面粘着テープの引出しとテープ切断装置外板の切断刃において下方への切断動作に於いて先端粘着部残存非粘着素材単片圧着テープと先端３方粘着部残存非粘着素材単片圧着テープが作成される。
【実施例】
【００１０】  以下、添付図面に従って実施例を説明する。
図１は考案されたテープカッター３０で片面粘着テープ１Ｃの切断動作において残存粘着部１Ａを残し、非粘着素材単片１Ｂを圧着した引出し長さが自在な先端粘着部残存非粘着素材単片圧着済テープ１と考案されたテープカッター補助部品のカートリッジ５に積層された非粘着素材単片２Ｂが片面粘着テープ１Ｃに圧着され先端３方残存粘着部２Ａを残存させた引出し長さが自在な先端３方粘着部残存非粘着素材単片圧着テープ２である。
手動によりテープ保持回転軸３０Ｅに保持されたロール状片面粘着テープ１ＣＡから片面粘着テープ１Ｃが引出されテープ切断装置３０Ｂの切断刃３１Ａにおいて下方への切断動作とテープ切断装置３０Ｂに内蔵されたレバー付昇降台３３のスプリング３５による上方弾性により非粘着素材単片１Ｂと非粘着素材２Ｂも同様に片面粘着テープ１Ｃに圧着され先端粘着部残存非粘着素材単片圧着テープ１と先端３方粘着部残存非粘着素材単片圧着テープ２が作成される。【００１１】  図２はテープ切断装置部品構成図を説明する。
金属または樹脂素材により作成された外板３１とレバー付昇降台３３とレール付スペーサー３４とスプリング３５である。
外板３１は鋼板プレス加工又は樹脂成型加工により切断刃３１Ａとストッパー３１Ｂと非粘着素材ガイド３１Ｃと一対のテープ切断装置固定羽３１Ｄと非粘着素材装填開口部３１Ｅと一対のスプリングカバー掛爪３１Ｆと４箇所のスペーサー留穴３１Ｇとスライド溝３１Ｈと外板スプリング止金具３１Ｊとテープ切断装置下部取付穴３１Ｋを一体成型する。レバー付昇降台３３は鋼板又は樹脂により昇降台天板３３Ｂとスライダー３３Ｃと昇降台引下げレバー３３Ａを一体成型するか昇降台引下げレバー３３Ａのみ同時成型又は別途成型後溶着する。
レール付スペーサー３４は樹脂による接着又は成型により作成され、レール３４Ａと４箇所の外板掛爪３４Ｂと内側レバー溝３４Ｃを具備する。【００１２】  図３は固定金具３０Ｄ、スプリングカバー３０Ｃ、テープ切断装置３０Ｂ、テープ切断装置組込筐体３２について説明する。
テープ切断装置３０Ｂは切断刃３１Ａを持つ外板３１のスライド溝３１Ｈ内側にレール付スペーサー３４の外板掛爪３４Ｂで係止し、レバー付昇降台３３のレール３３Ｃをレール付スペーサー３４のレール部３４Ａに挿入し、外板３１のスプリング止金具３１Ｊに掛けられたスプリング３５を昇降台引下げレバー３３Ａのスプリング留穴３３Ｄに係止する。スプリング３５の弾性力で上部ストッパー３１Ｂまで非粘着素材挿入口３１Ｅから挿入した非粘着素材単片１Ｂとその積層体１ＢＡ、非粘着素材単片２Ｂとその積層体２８Ａの装填されたカートリッジについても下方からスプリング３５による弾性圧力で押上げる機能を持つテープ切断装置３０Ｂが完成する。
テープ切断装置組込筐体３２は金属、樹脂、木材等の素材を使える構造体で一対の側板３０Ａは前塔部３０ＡＨにテープ切断装置固定羽３１Ｄを係止する固定羽掛溝３０ＡＥと後塔部３０ＡＦにテープ供給回転軸受穴３０Ｅとスライド溝３０ＡＧを有し並行に相対する側板３０Ａを上板３０ＡＢと地板３０ＡＣとで組立てた筐体である
固定金具３０Ｄは金属板プレス加工又は樹脂成型加工により作成されテープ切断装置組込筐体３２の前塔部縦溝３０ＡＥにテープ切断装置固定羽３１Ｄを係止したテープ切断装置３０Ｂをテープ切断装置下部取付穴３１Ｋと地板３０ＡＣのテープ切断装置固定金具受穴３０ＡＡとを挟み込み、テープ切断装置３０Ｂをテープ切断装置組込筐体３２に固定する突起した固定爪３０ＤＡを有するコの字型金具である。
考案のテープカッター３０はテープ切断装置３０Ｂとスプリングカバー３０Ｃとテープ切断装置組込筐体３０Ａと固定金具３０Ｄの４点とテープ供給回転軸３０Ｅの５点で構成される。【００１３】  図４は図１の前記先端粘着部残存非粘着素材単片圧着済テープ１を製作するテープカッター組立完成図３０のＡＡ´断面でありテープカッターの構成と切断に至る過程を説明するものである。
テープ切断装置３０Ｂをテープ切断装置組込筐体３２の前塔部縦溝３０ＡＥにテープ切断装置３０Ｂのテープ切断装置固定羽３１Ｄを係止しテープ切断装置３０Ｂを固定金具３０Ｄでテープ切断装置受穴３０ＡＡとテープ切断装置下部取付穴３１Ｋに嵌め込み固定し、スプリングカバー３Ｃをスプリングカバー掛爪３１Ｆに掛けテープ切断装置下部に係止しロール状片面粘着テープ１ＣＡをテープ供給回転軸３０Ｅにセットしてテープ１Ｃを引出した図である
切断動作に於いてレバー付昇降台３３にストッパー３１Ｂまで押上げられた非粘着素材単片１Ｂ最上部のテープ粘着接点４０Ｂへテープ供給回転軸３０Ｅにセットしたロール状片面粘着テープ１ＣＡから引き出されたテープ１Ｃはテープ供給回転軸中心４０Ａを起点とし水平線４０Ｆに対し仰角４０Ｄを保持しテープ圧着接点４０Ｂに到達し、到達したテープ１Ｃは次に切断刃先端４０Ｃに接する、
テープ接着接点４０Ｂを支点とした切断動作で下げられたテープ１Ｃの切断圧力とスプリング３５の弾性によるレバー付昇降台３３の上昇圧力で支持された非粘着素材単片１Ｂがテープ１Ｃの下面に面圧着する、この際テープ圧着接点４０Ｂを起点とした水平線４０ＦＡに対し切断刃先端４０Ｃへのテープ進入角度の仰角４０Ｅは前記仰角４０Ｄより小さい。
仰角４０Ｄと仰角４０Ｅの条件に於いてテープ１Ｃと非粘着素材単片１Ｂは切断動作に於いて面圧着し下方への切断動作でレール付スペーサー３４の適宜な残存粘着部厚３４Ｃに於いて切断刃３１Ａと非粘着素材単片１Ｂとの間に粘着部を残存し先端粘着部残存非粘着素材圧着済テープ１が作成される。前記条件のもとにカートリッジ５を使用し非粘着素材単片２Ｂの供給を行えば非粘着素材３方粘着部残存テープ２が作成できる。【００１４】  図５は考案のテープカッター３で作成する先端粘着部残存非粘着素材圧着済テープ１、先端粘着部残存非粘着素材圧着済テープ２に使用する非粘着素材単片１Ｂ及び非粘着素材単片２Ｂの積層体１ＢＡとカートリッジ５に装着された非粘着素材単片２Ｂの積層体２ＢＡのテープ切断装置３０Ｂへの装填に付いて記した図である。
積層体１ＢＡと積層体２ＢＡは、切断刃側に飛散防止処理として糸状糊付１ＢＣ又は面状に糊付けを施し、テープ１Ｃと非粘着素材単片１Ｂの圧着時に積層体１ＢＡの最上部から１枚ごとの剥離可能な飛散防止処理とし重複圧着を防止し、積層体２ＢＡにも同等の飛散防止処理を施した。
積層体１ＢＡのテープ切断装置３０への装填は昇降板引下レバー３３Ａで非粘着素材装填開口部３１Ｅの下面まで引下げられ、レバー付昇降台天部３３Ｂに矢印５０Ａの方向で装填され矢印５０Ｂの方向にスプリング３５の弾性力で押上げられストッパー３１Ｂで停止し、引き出されたテープ１Ｃの切断動作に於いて非粘着素材単片１Ｂが面圧着され先端粘着部残存非粘着素材圧着済テープ１が作成される。
先端３方粘着部残存非粘着素材圧着済テープ２の作成に使用するカートリッジ５は金属又は樹脂、又は硬紙を素材としプレス加工もしくは成型で作成する、カートリッジ５の内側に非粘着素材単片２Ｂ又はその積層体２ＢＡ上下位置決めをする左右一対のストッパー５Ａとストッパー５Ｂを有する。
カートリッジ５に装填された非粘着素材単片２Ｂ又はその積層体２ＢＡは非粘着素材装填開口部３１Ｅの下部まで引下げられたレバー付昇降台天部３３Ｂに矢印５０Ｃの方向で装填され、矢印５０Ｄの方向にスプリング３５の弾性力でカートリッジ５と並昇し上部ストッパー３１Ｂで共に停止する、カートリッジ５の内側をレバー付昇降台３３が上昇し非粘着素材単片２Ｂ又はその積層体２ＢＡはストッパー５Ａで停止する。
カートリッジ５の左右一対の鍔５Ｃの幅でテープ１Ｃ切断時に非粘着素材単片２Ｂの左右とレール付スペーサー３４側に粘着部を残存し任意の長さで切断できる非粘着素材３方粘着部残存テープ２が作成される。
【符号の説明】
【００１５】１            先端粘着部残存非粘着素材単片圧着済テープ
１Ａ          先端残存粘着部
１Ｂ          非粘着素材単片
１ＢＡ        積層体
１Ｃ          片面粘着テープ
１ＣＡ        ロール状片面粘着テープ
２            先端３方粘着部残存非粘着素材単片圧着済テープ
２Ａ          先端３方向残存粘着部
２Ｂ          非粘着素材単片
２ＢＡ        積層体
５            カートリッジ
５Ａ          ストッパー
５Ｂ          ストッパー
５Ｃ          鍔
３０          テープカッター
３０Ａ        側板
３０ＡＡ      テープ切断装置受け穴
３０ＡＢ      上板
３０ＡＣ      地板
３０ＡＨ      前塔部
３０ＡＥ      固定羽掛溝
３０ＡＦ      後塔部
３０ＡＧ      スライド溝
３０Ｂ        テープ切断装置
３０Ｃ        スプリングカバー
３０Ｄ        固定金具
３０Ｄ        固定金具
３０ＤＡ      凸状係爪
３０Ｅ        テープ供給回転軸
３０ＡＩ      テープ供給回転軸受穴
３１          外板
３１Ａ        切断刃
３１Ｂ        上部ストッパー
３１Ｃ        非粘着素材積層体ガイド
３１Ｄ        テープ切断装置固定羽
３１Ｅ        非粘着素材装填開口部
３１Ｆ        スプリングカバー掛爪
３１Ｇ        スペーサー留穴
３１Ｈ        スライド溝
３１Ｊ        外側スプリング止金具
３１Ｋ        テープ切断装置下部取付穴
３２          テープ切断装置組込筐体
３３          レバー付昇降台
３３Ａ        昇降台引上げレバー
３３Ｂ        レバー付昇降台天部
３３Ｄ        スプリング留穴
３４          レール付スペーサー
３４Ａ        レール部
３４Ｂ        外板掛爪
３４Ｃ        スライド溝
３４Ｄ        スペーサー厚
３５          スプリング
４０Ａ        テープ供給回転軸中心
４０Ｂ        テープ圧着接点
４０Ｃ        切断刃先端
４０Ｄ        仰角
４０Ｅ        仰角
４０Ｆ        水平線
５０Ａ        矢印
５０Ｂ        矢印
５０Ｃ        矢印
５０Ｄ        矢印
【図１】
0003212666.tif 000003
【図２】
0003212666.tif 000004
【図３】
0003212666.tif 000005
【図４】
0003212666.tif 000006
【図５】
0003212666.tif 000007
【手続補正書】
【提出日】平成29年5月19日(2017.5.19)
【手続補正１】
【補正対象書類名】実用新案登録請求の範囲
【補正対象項目名】全文
【補正方法】変更
【補正の内容】
【実用新案登録請求の範囲】
【請求項１】
上板（３０ＡＢ）と地板（３０ＡＣ）で結合した一対の側板（３０Ａ）で構成されたテープ切断組込筐体（３２）の後塔部（３０ＡＦ）にテープ供給回転軸中心（４０Ａ）がテープ切断装置（３０Ｂ）のテープ粘着接点（４０Ｂ）に対し梃子による切断可能な仰角（４０Ｄ）を保持した位置にロール状片面テープ（１ＣＡ）を取付けたテープ供給回転軸（３０Ｅ）を係止し、外板（３１）内側にスペーサー厚（３４Ｄ）で先端残存粘着部（１Ａ）を形成するレール付スペーサー（３４）と、上昇弾性を持つスプリング（３５）によって支持されたレバー付昇降台（３３）が内蔵されたテープ切断装置（３０Ｂ）を前塔部（３０ＡＨ）の固定羽掛溝（３０ＡＥ）にテープ切断装置固定羽（３１Ｄ）を係止し、固定金具（３０Ｄ）で地板（３０ＡＣ）に固定し、非粘着素材装填開口部（３１Ｅ）から装填した積層体（１ＢＡ）をレバー付昇降台（３３）が押上げ、積層された上部の非粘着素材単片（１Ｂ）がストッパー（３１Ｂ）で停止する、引出された片面粘着テープ（１Ｃ）は切断の為にテープ圧着接点（４０Ｂ）を梃子として切断刃（３１）に接するが、テープ粘着接点（４０Ｂ）から切断刃（３１Ａ）の仰角（４０Ｅ）は仰角（４０Ｄ）より小さい、よって片面粘着テープ（１Ｃ）と非粘着素材単片（１Ｂ）は切断動作完了時に上部圧力と下部からの弾性圧力により確実に圧着し、任意の長さに引出された片面粘着テープ（１Ｃ）は開封一回目の切断を除き連続して先端粘着部残存非粘着素材残存テープ（１）を作る構成を特徴としたテープカッター
【請求項２】
テープ切断装置（３０Ｂ）は外板（３１）、スプリング（３５）、レール付スペーサー（３４）、レバー付昇降台（３３）、補助具としてカートリッジ（５）を具備し、組立に於いて外板（３１）にレール付スペーサー（３４）の外板掛爪（３４Ｂ）の嵌め込みと、スプリング（３５）によるレバー付昇降台（３３）の吊り込みで簡単に組立てられ、金属、樹脂、木材の素材選択でハイブリッドな設計の自由度と量産に適した部品構成の特徴を持つ請求項１に記載のテープカッター。
【請求項３】
テープカッター組立構成はテープ切断装置（３０Ｂ）のテープ切断装置組込筐体（３２）への組込がテープ切断装置組込筐体（３２）の固定羽掛溝（３０ＡＥ）にテープ切断装置固定羽（３１Ｄ）を係止めしテープ切断装置（３０Ｂ）を固定金具（３０Ｄ）によりテープ切断装置組込筐体（３２）の地板（３０ＡＣ）に固定し、スプリング（３５）の露出をスプリングカバー（３０Ｃ）で保護し、完成品の容易な組込部材構成を特徴とした請求項１に記載のテープカッター。
【請求項４】
外側に鍔（５Ｃ）を持つカートリッジ（５）に片面粘着テープ（１Ｃ）の幅より狭い非粘着素材単片（１Ｂ）の積層体（１ＢＡ）をテープ切断装置（３０Ｂ）に装填し、先端部粘着部残存非粘着素材単片圧着済粘着テープ（１）と同様の作成要領で圧着を行い片面粘着テープ（１Ｃ）に先端３方向残存粘着部（２Ａ）を鍔（５Ｃ）の幅空間で作成し、連続して先端３方向粘着部残存非粘着素材単片圧着済テープ（２）を作成する特徴を持つ請求項１に記載のテープカッター。
【手続補正書】
【提出日】平成29年7月10日(2017.7.10)
【手続補正１】
【補正対象書類名】実用新案登録請求の範囲
【補正対象項目名】全文
【補正方法】変更
【補正の内容】
【実用新案登録請求の範囲】
【請求項１】
上板（３０ＡＢ）と地板（３０ＡＣ）で結合した一対の側板（３０Ａ）で構成されたテープ切断組込筐体（３２）の後塔部（３０ＡＦ）にテープ供給回転軸中心（４０Ａ）がテープ切断装置（３０Ｂ）のテープ粘着接点（４０Ｂ）に対し梃子による切断可能な仰角（４０Ｄ）を保持した位置にロール状片面テープ（１ＣＡ）を取付けたテープ供給回転軸（３０Ｅ）を係止し、外板（３１）内側にスペーサー厚（３４Ｄ）で先端残存粘着部（１Ａ）を形成するレール付スペーサー（３４）と、上昇弾性を持つスプリング（３５）によって支持されたレバー付昇降台（３３）が内蔵されたテープ切断装置（３０Ｂ）を前塔部（３０ＡＨ）の固定羽掛溝（３０ＡＥ）にテープ切断装置固定羽（３１Ｄ）を係止し、固定金具（３０Ｄ）で地板（３０ＡＣ）に固定し、非粘着素材装填開口部（３１Ｅ）から装填した積層体（１ＢＡ）をレバー付昇降台（３３）が押上げ、積層された上部の非粘着素材単片（１Ｂ）がストッパー（３１Ｂ）で停止する、引出された片面粘着テープ（１Ｃ）は切断の為にテープ圧着接点（４０Ｂ）を梃子として切断刃（３１）に接するが、テープ粘着接点（４０Ｂ）から切断刃（３１Ａ）の仰角（４０Ｅ）は仰角（４０Ｄ）より小さい、よって片面粘着テープ（１Ｃ）と非粘着素材単片（１Ｂ）は切断動作完了時に上部圧力と下部からの弾性圧力により確実に圧着し、任意の長さに引出された片面粘着テープ（１Ｃ）は開封一回目の切断を除き連続して先端粘着部残存非粘着素材残存テープ（１）を作る構成を特徴としたテープカッター
【請求項２】
テープ切断装置（３０Ｂ）は外板（３１）、スプリング（３５）、レール付スペーサー（３４）、レバー付昇降台（３３）、補助具としてカートリッジ（５）を具備し、組立に於いて外板（３１）にレール付スペーサー（３４）の外板掛爪（３４Ｂ）の嵌め込みと、スプリング（３５）によるレバー付昇降台（３３）の吊り込みで簡単に組立てられ、金属、樹脂、木材の素材選択でハイブリッドな設計の自由度と量産に適した部品構成の特徴を持つ請求項１に記載のテープカッター。
【請求項３】
テープカッター組立構成はテープ切断装置（３０Ｂ）のテープ切断装置組込筐体（３２）への組込がテープ切断装置組込筐体（３２）の固定羽掛溝（３０ＡＥ）にテープ切断装置固定羽（３１Ｄ）を係止めしテープ切断装置（３０Ｂ）を固定金具（３０Ｄ）によりテープ切断装置組込筐体（３２）の地板（３０ＡＣ）に固定し、スプリング（３５）の露出をスプリングカバー（３０Ｃ）で保護し、完成品の容易な組込部材構成を特徴とした請求項１に記載のテープカッター。
【請求項４】
外側に鍔（５Ｃ）を持つカートリッジ（５）に片面粘着テープ（１Ｃ）の幅より狭い非粘着素材単片（２Ｂ）の積層体（２ＢＡ）を保持し非粘着素材装填開口部（３１Ｅ）から装填したカートリッジ（５）に内包された積層体（２ＡＢ）をレバー付昇降台（３３）が押上げ、積層された上部の非粘着素材単片（２Ｂ）がストッパー（３１Ｂ）で停止する、引出された片面粘着テープ（１Ｃ）は切断の為にテープ圧着接点（４０Ｂ）を梃子として切断刃（３１）に接するが、テープ粘着接点（４０Ｂ）から切断刃（３１Ａ）の仰角（４０Ｅ）は仰角（４０Ｄ）より小さい、よって片面粘着テープ（１Ｃ）と非粘着素材単片（２Ｂ）は切断動作完了時に上部圧力と下部からの弾性圧力により確実に圧着し、任意の長さに引出された片面粘着テープ（１Ｃ）は開封一回目の切断を除き連続し鍔（５Ｃ）を持つカートリッジ（５）の効果により粘着テープ（１Ｃ）の直進方向左右と先端部に残存した先端３方向粘着部（２Ａ）を持つ先端３方向粘着部残存非粘着素材単片圧着済テープ（２）を作る構成を特徴とする請求項１に記載のテープカッター。